(57)【要約】      （修正有）【課題】電気コードの不用意な抜け止めと、屈曲の繰り返し疲労による断線を防止することができ、現在使用している機器に取り付け可能なコード止め具を提供する。【解決手段】柱状の支持体に取り付けて電気コード９を掛止するコード止め具８であって、支持体に外嵌する筒状の基部８１と、基部８１の径方向外側に張り出す鍔部と、鍔部の少なくとも一側面から突出し、電気コード９を掛止する掛止部８３と、を有する。【選択図】図４
0003198005.tif 000002
【実用新案登録請求の範囲】
【請求項１】
柱状の支持体に取り付けて電気コードを掛止するコード止め具であって、
前記支持体に外嵌する筒状の基部と、
前記基部の径方向外側に張り出す鍔部と、
鍔部の少なくとも一側面から突出し、前記電気コードを掛止する掛止部と、
を有することを特徴とするコード止め具。
【請求項２】
請求項１記載のコード止め具であって、
前記掛止部は、鍔部の少なくとも一側面から少なくとも二か所以上において離間して突出していることを特徴とするコード止め具。
【請求項３】
請求項２記載のコード止め具であって、
前記掛止部は、鍔部の少なくとも一側面から、波状に突出するように形成されていることを特徴とするコード止め具。
【請求項４】
請求項１記載のコード止め具であって、
前記基部は、側壁の一部を切り欠くことにより形成された舌片であって、その内周面を前記支持体に押圧させることで当該支持体と当該基部との相対的な回動を防止するように形成された係止部を有することを特徴とするコード止め具。
【請求項５】
請求項４記載のコード止め具であって、
前記係止部の内周面に、凹状または凸状に形成された第１嵌合部が形成され、
当該第１嵌合部は、柱状の支持体の外周面に凸状または凹状に形成された第２嵌合部と嵌合することにより、当該支持体と当該コード止め具の基部との相対的な回動を防止させるように形成されたことを特徴とするコード止め機構。
【請求項６】
請求項５記載のコード止め構造を有することを特徴とする輸液スタンド。
【考案の詳細な説明】
【技術分野】
【０００１】
本考案は、電気コードを掛止するコード止め具に関する。
【背景技術】
【０００２】
医療用電子機器のうち、例えば、経腸栄養用輸液ポンプは、輸液スタンドのポールなどに対して固定されて用いられることが一般的である。ところで、近年、経腸栄養用輸液ポンプは、在宅で使用するために軽量・小型化が求められている。この解決策の一つとして、経腸栄養用輸液ポンプには、交流から直流へ変換する変換器を内蔵せず、ＡＣアダプタを外付けする構成を採用しているものがある。この場合、経腸栄養用輸液ポンプ本体には、ＡＣアダプタのＤＣプラグが接続されるＤＣジャックのみが設けられている構造となる。そして、このＤＣジャックは、水の侵入を回避するため、経腸栄養用輸液ポンプ本体の底面に配置されることが多い。
【０００３】
しかしながら、ＤＣジャックを経腸栄養用輸液ポンプ本体の底面に配置すると、ＡＣアダプタの電気コードが下方向に引っ張られた際に、電気コードの先端に設けられたＤＣプラグがＤＣジャックから容易に抜けてしまうという問題点がある。他方、この問題を解消するため、ＤＣプラグをストレートタイプではなく、Ｌ字状タイプにすれば、ＤＣジャックから容易に抜けてしまうことは防止できる。
【０００４】
但し、ＡＣアダプタの電気コードは、比較的細いものが多いため、Ｌ字状タイプにした場合には、却ってプラグ付近の電気コードが繰り返し屈曲されることによって、疲労による断線を起こすという別の問題が生じる。
【０００５】
これらの問題に対し、医療機器を輸液スタンドのポールに取り付けるクランプであって、電気コードを保持する筒状凹部を一体的に形成したものが知られている（例えば、特許文献１参照）。
【先行技術文献】
【特許文献】
【０００６】
【特許文献１】特開２００９−２３３３３１号公報
【考案の概要】
【考案が解決しようとする課題】
【０００７】
しかしながら、筒状凹部を一体的に形成したクランプによってコードを保持するためには、現在使用しているクランプ全体を取り外して交換しなければならないという問題がある。
【０００８】
以上の点に鑑み、本考案は、電気コードの不用意な抜け止めと、屈曲の繰り返し疲労による断線を防止することができ、現在使用している機器に取り付け可能なコード止め具を提供することを目的とする。
【課題を解決するための手段】
【０００９】
かかる目的を達成するために、本考案のコード止め具は、柱状の支持体に取り付けて電気コードを掛止するコード止め具であって、前記支持体に外嵌する筒状の基部と、前記基部の径方向外側に張り出す鍔部と、鍔部の少なくとも一側面から突出し、前記電気コードを掛止する掛止部と、を有することを特徴とする。
【００１０】
本考案のコード止め具は、前記支持体に外嵌する筒状の基部を有するため、柱状の支持体さえあれば、これに取り付けることができる。ここで、柱状の支持体とは、これに限定する趣旨ではないが、例えば、輸液スタンドのポール部、ポール部に取り付けられ医療機器を保持するクランプ、または、前記クランプのうちポール部に固定するときに用いる回転ノブなどが考えられる。
【００１１】
次に、前記筒状の基部には、径方向外側に張り出す鍔部と当該鍔部の少なくとも一側面から突出し、前記電気コードを掛止する掛止部が設けられている。このため、コード止め具を柱状の支持体に外嵌すると、柱状の支持体または筒状の基部からみて、掛止部は鍔部の分だけ離れて配置されることになるので、柱状の支持体または筒状の基部と掛止部との間には、隙間が生じた状態となる。
【００１２】
そのため、掛止部は、電気コードを鍔部から突出しているところに引っ掛けて前記隙間方向に通すことができる。
【００１３】
したがって、本考案の本考案のコード止め具は、現在使用している機器に取り付けることができ、これにより、電気コードの不用意な抜け止めと、屈曲の繰り返し疲労による断線を防止することができる。
【００１４】
また、前記掛止部は、鍔部の少なくとも一側面から少なくとも二か所以上において離間して突出していることが好ましい。
【００１５】
これによれば、２以上の突出した係止部に対して、電気コードを例えばＳ字状などに２か所で引っ掛けることができ、電気コードの不用意な抜け止めと、屈曲の繰り返し疲労による断線の防止とを、より確実にすることができる。
【００１６】
また、前記掛止部は、鍔部の少なくとも一側面から、波状に突出するように形成されていることが好ましい。
【００１７】
これによれば、鍔部の一側面から見て、突出の多い部分と少ない部分とが交互に配置されることになるので、電気コードを、どの方向からでも突出の少ない部分から前記隙間方向に通して、当該突出の少ない部分を挟むように配置される突出の多い部分に引っ掛けることができる。
【００１８】
また、前記基部は、側壁の一部を切り欠くことにより形成された舌片であって、その内周面を前記支持体に押圧させることで当該支持体と当該基部との相対的な回動を防止するように形成された係止部を有することが好ましい。
【００１９】
この係止部は、側壁の一部が切り欠かれることにより形成されているため、板バネとして機能する。そして、当該板バネ作用によって、当該側壁の内周面を前記支持体に押圧させることで当該支持体と当該基部との相対的な回動を防止することができる。
【００２０】
前記係止部は、その内周面に、凹状または凸状に形成された第１嵌合部が形成され、当該第１嵌合部は、柱状の支持体の外周面に凸状または凹状に形成された第２嵌合部と嵌合することにより、当該支持体と当該コード止め具の基部との相対的な回動を防止させるように形成されたコード止め機構となっていてもよい。
【００２１】
そして当該コード止め機構は、輸液スタンドに備えられていてもよい。
【図面の簡単な説明】
【００２２】
【図１】本実施形態のコード止め具を取り付けた輸液スタンドの全体構成を示す説明的斜視図。
【図２】図１に示されたコード止め具を取り付けたポールクランプを示す背面斜視図。
【図３】本実施形態のコード止め具を示す斜視図。
【図４】本実施形態のコード止め具の使用状態を示す説明図。
【考案を実施するための形態】
【００２３】
本考案の一実施形態を図面に基づいて説明する。図１に示すように、輸液スタンド１は、ポール２と、ポール２を床面に対して垂直に起立させて固定する脚部３とを備えている。脚部３は、輸液スタンドを移動可能とさせる移動キャスタ３１を有している。
【００２４】
ポール２は、内筒２１と、内筒２１が伸縮自在に収納された外筒２２とを有する。外筒２２の先端には、筒状の連結部２３が装着されている。連結部は、径方向に雌ねじが掘設された貫通孔（図示せず）と、その貫通孔に螺合されるネジ軸を備えた回転ノブ２４とを備える。ポール２は、内筒２１を所望の長さだけ突出させた状態で、回転ノブ２４を回転させ長さ調節を行う。
【００２５】
次に、ポール２は、移動キャスタ３１によって輸液スタンド１の移動させる際に把持するハンドル５を備えている。ハンドル５は、外筒２２を挿嵌する筒状の基部５１と、基部５１から延設された把持部５２とを有する。基部５１は、上記連結部と同様に、一部に貫通孔を有し、固定ノブ５３によって所望の高さに固定される。
【００２６】
また、ポール２には、輸液ポンプ６がポールクランプ７を介して固定される。
【００２７】
ポールクランプ７は、図２に示すように、輸液ポンプ６を載置する載置部７１と、ポール２に固定するためのクランプ部７２を有する。クランプ部７２は、ポールの外周面の一方側を把持する爪部７３と、後述する回転ノブ７５を回転可能に保持する起立状部７４とを備える。
【００２８】
回転ノブ７５は、ポール２の外周面の他方側を先端面で係止するネジ軸７６と、ネジ軸７６の後端側の一部を収納した状態で固定する円柱状基部７７と、円柱状基部７７の後端から径方向外側に張り出す把持部７８とを有する。円柱状基部７７は、側壁に径方向に雌ねじが切られた貫通孔７９ａが設けられ、当該貫通孔７９ａに六角穴付き止めねじ７９ｂを螺合させることで、ネジ軸７６を固定している。
【００２９】
この円筒状基部７７にコード止め具８は取り付けられるものであり、次に、図３を用いてコード止め具８の構成を説明する。
【００３０】
コード止め具８は、回転ノブ７５の円筒状基部７７に外嵌する円筒状の基部８１と、基部８１の一端から径方向外側に張り出す鍔部８２と、鍔部８２のうち取り付けたときに、回転ノブ７５の把持部７８と対向する側面から波状に連続して突出を繰り返すように形成されている波状掛止部８３とを有する。
【００３１】
基部８１は、円筒状基部７７に外嵌したときに、回転ノブ７５を回転させてネジ軸７６の先端面をポール２に押し付けることを妨害しない程度の長さに形成される。本実施形態では、基部８１は、円筒状基部７７に外嵌したときに鍔部８３の背面側（波状掛止部８３を有しない側）と筒状基部７７の先端との位置が概ね一致する長さに形成されている。
【００３２】
円筒状基部７７にコード止め具８を取り付けたときに、回転ノブ７５の把持部７８と波状掛止部８３の先端とが接触せず、両者の隙間から電気コードを挿入できるように、波状掛止部８３の高さ（軸方向の長さ）は、基部８１の高さ（軸方向の長さ）より短くなっている。
【００３３】
基部８１の側壁は、一部がコ字状に切り欠かれ、舌片８４が形成されている。舌片８４の内周側には、径方向内側に突出する突出部８５が設けられている。
【００３４】
基部８１を円筒状基部７７に外嵌した場合、基部８１の内周面と円筒状基部７７の外周面との間に突出部８５が挟まれることになる。そうすると、舌片８４は径方向外側に撓まされ、その復元力によって、突出部８５を円筒状基部７７に押し付けることになる。
【００３５】
さらに、本実施形態では、突出部８５と貫通孔７９ａとが対向するように配置することで、突出部８５の一部を、回転ノブ７５の貫通孔７９ａに嵌合させることができる。
【００３６】
次に、図４を用いて、コード止め具８の使用方法を説明する。
【００３７】
コード止め具８の基部８１を回転ノブ７５の円筒状基部７７に外嵌した状態で、回転ノブ７５を起立状部７４の貫通孔（図示せず）に挿通し、ポールクランプ７をクランプ部７２によってポール２に固定する。
【００３８】
次に、ポールクランプ７の載置部７１に輸液ポンプ６を載置した状態で固定される。
【００３９】
ところで、輸液ポンプ６は、底面にＤＣジャックを有しているが、ポールクランプ７の載置部７１の底面は、このＤＣジャックに対向する付近が一部開口している。そのため、輸液ポンプ６は、ポールクランプ７に取り付けた状態で、電気コード９の先端に設けられたＤＣプラグ９１をＤＣジャックに差し込むことができる。
【００４０】
そして、ＤＣプラグ９１からコード止め具８に向かって電気コード９を配線し、電気コード９を、波状掛止部８３のうち突出が少ない部分からを基部８１方向に入れて、基部８１に電気コードを巻きまわし、波状掛止部８３のうち突出が少ない他の部分から出して、コンセント（図示せず）に配線する。
【００４１】
以上説明したとおり、本実施形態のコード止め具８によれば、回転ノブ７５に取り付けることができるので、ポールクランプ７自体を交換する必要がない。
【００４２】
また、波状掛止部８３は、これにより形成された側壁が高い部分と低い部分とが交互に配置されることになるため、電気コード９を、どの方向からでも容易に出し入れすることができる。そして、波状掛止部８３によれば、コンセント側と輸液ポンプ側との２か所で、電気コード９を係止することができる。
【００４３】
また、舌片８４は、板バネとして作用し、回転ノブ７５の円柱状基部７７に設けられた貫通孔７９ａに、突出部８５の一部を嵌合させることで、回転ノブ７５とコード止め具８との相対的な回動を確実に防止する。
【００４４】
以上により、本実施形態のコード止め具８によれば、電気コード９の不用意な抜け止めと、屈曲の繰り返し疲労による断線を防止することができる。
【００４５】
［変形例］
上記本実施形態のコード止め具８は、ポールクランプ７の回転ノブ７５に取り付けたが、上記説明したとおり、回転ノブ７５は一般的な形状をしているものである。そのため、本実施形態のコード止め具８は、ポールクランプ７に用いられるものでなくても、他の回転ノブ（回転ノブ２４、固定ノブ５３）に取り付けてもよい。
【００４６】
また、本実施形態のコード止め具８は、輸液ポンプ６を用いて説明したが、ＤＣジャックを有する医療用電子機器全般に使用することができる。
【００４７】
つまり、本実施形態のコード止め具８は、当該医療用電子機器近傍に存する柱状の支持体であれば、ポール２などに直接取り付けてもよく、さらにいえば、輸液スタンドに限定されるものではない。
【００４８】
また、上記本実施形態のコード止め具８では、回転ノブ７５の把持部７８と起立状部７４との間にコード止め具８を挟み込んだときに、ネジ軸７６の先端がポール２を係止可能な程度突出できればよいので、ネジ軸７６が把持部７８に直接固定されている回転ノブに取り付けることもできる。
【００４９】
また、コード止め具８の基部８１は、円筒形状に限らず、三角筒状、四角筒状など多角筒状でもよい。さらに、筒状の側壁の一部が切り欠かれていてもよい。例えば、軸断面Ｃ字状に形成し、回転ノブ７５が起立状部７４に支持された状態で、当該切り欠かれた箇所から基部８１を撓ませて円柱状基部７７に嵌め込めるように構成してもよい。
【００５０】
また、本実施形態のコード止め具８の鍔部８２は、基部８１の端部と端部の間の位置から径方向外側に張り出していてもよい。
【００５１】
また、本実施形態のコード止め具８の掛止部は、鍔部８３少なくとも一側面から突出して、電気コード９を掛止できれば足りる。そのため、本実施形態のコード止め具８では、取り付けた状態で、掛止部が回転ノブ７５に近づく方向に突出した構成を説明したが、回転ノブ７５から離れる方向に突出する構成にしてもよい。また、掛止部は、波状ではなく三角形状、四角形状の板片が、離間して２以上突出するように構成してもよい。さらに、掛止部の先端は、電気コード９の抜け止めを確実にするため、基部８１方向に屈曲していてもよい。
【００５２】
また、本実施形態のコード止め具８は、円筒状基部７７に外嵌したときに、回転ノブ７５の把持部７８と波状掛止部８３の先端とが接触しなければ両者の隙間から電気コードを挿入できるので、基部８１を回転ノブ７５の把持部７８から離して取り付け可能であれば、波状掛止部８３の高さ（軸方向の長さ）が基部８１の高さ（軸方向の長さ）より長く構成されてもよい。
【００５３】
また、本実施形態のコード止め具８は、内周に滑り止め加工（粗面加工、ゴムコーティング）をすることで、相対的な回動を防止してもよい。
【符号の説明】
【００５４】
６…輸液スタンド、  ７…ポールクランプ、  ８…コード止め具、  ９…電気コード、  ７７…支持体、  ７９ａ…第２嵌合部、  ８１…基部、  ８２…鍔部、  ８３…掛止部、  ８４…係止部、  ８５…第１嵌合部。
【図１】
0003198005.tif 000003
【図２】
0003198005.tif 000004
【図３】
0003198005.tif 000005
【図４】
0003198005.tif 000006